(57)【要約】【課題】浣腸機能を有するビデ用の噴射ノズルにおいて噴出孔の内部の渦流を防いでさらに高い水圧を確保する。【解決手段】浣腸機能を有するビデ用の噴射ノズルの構造であって、前記噴射ノズルの構造は、浣腸機能を行うための浣腸孔を有する噴射キャップ（３５２０）を備え、前記噴射キャップ（３５２０）の浣腸噴出孔（３５２３）の内部に形成された排出孔（３５２４）を通過する洗浄水の乱れを防ぐように、前記浣腸噴出孔（３５２３）の上部から下方に突出してガイド溝（３６１０）が形成され、前記噴射ノズルの構造は、前記ガイド溝（３６１０）の内部に直線状に流体連通するように形成されたガイド孔（３６２０）を有する洗浄水ガイドリブ（３６３０）を備え、前記ガイド孔（３６２０）は、肛門を刺激するような圧力で噴き出された洗浄水をガイドする。【選択図】図１５
2010216239.tif 000002
【特許請求の範囲】
【請求項１】
浣腸機能を有するビデ用の噴射ノズルの構造であって、
前記噴射ノズルの構造は、浣腸機能を行うための浣腸孔を有する噴射キャップ（３５２０）を備え、前記噴射キャップ（３５２０）の浣腸噴出孔（３５２３）の内部に形成された排出孔（３５２４）を通過する洗浄水の乱れを防ぐように、前記浣腸噴出孔（３５２３）の上部から下方に突出してガイド溝（３６１０）が形成され、
前記噴射ノズルの構造は、前記ガイド溝（３６１０）の内部に直線状に流体連通するように形成されたガイド孔（３６２０）を有する洗浄水ガイドリブ（３６３０）を備え、前記ガイド孔（３６２０）は、肛門を刺激するような圧力で噴き出された洗浄水をガイドする、浣腸機能を有するビデ用の噴射ノズルの構造。
【請求項２】
前記ガイド孔（３６２０）は、前記浣腸噴出孔（３５２３）の内部に形成された前記排出孔（３５２４）と同じ面積を有する、請求項１に記載の浣腸機能を有するビデ用の噴射ノズルの構造。
【発明の詳細な説明】
【技術分野】
【０００１】
本発明は、付加機能を有するビデ用の噴射ノズルの構造に関する。特に、本発明は、通常の肛門洗浄及び陰部洗浄機能に加えて、浣腸機能を設けることにより、特に、便秘症の人の救済が可能となる多機能ビデ用の噴射ノズルの構造に関する。
【背景技術】
【０００２】
ビデは、用便後に、トイレットペーパーの代わりに、ビデの中央部から噴き出される適正温度の洗浄水を用いて陰部エリア及び肛門エリアを洗浄するのに用いられる。
【０００３】
この種のビデは、そもそも女性用の陰部エリアの洗浄機として開発されてきたが、用便後に肛門をトイレットペーパーで拭き取る代わりに、水洗した方がより衛生的であることが知られるようになったため、最近は、老若男女を問わずに一般的となっている。陰部／肛門を水洗することによって細菌の感染を予防することができ、痔をはじめとする肛門関係の疾病を防ぐことに有用である。さらに、産婦人科関係の疾患にとても効果がある。また、老齢者や肥満者などの用便時の便宜性にとても有用である。
【０００４】
このようなビデは、図１に示されるように、便器本体の上部に置かれると共に蛇口からの濾過された水を貯留する水槽を有するビデボディ２００１と、貯留された洗浄水をユーザーの選択に応じてそれぞれ陰部エリアまたは肛門領域に噴き出すビデ／洗浄ノズル（または、肛門洗浄ノズル）２００２と、ユーザーが着座して用便をするための着座部２００３と、状況に合わせてビデの機能を調節するためのコントロール部２００４とを備えている。
【０００５】
このように構成されるビデは、ユーザーが着座部２００３に着座して用便をした後、肛門洗浄ボタンまたはビデ洗浄ボタンを選択して押すと、選択されたビデ洗浄ノズル（または、肛門洗浄ノズル）２００２が、ビデボディ２００１の水槽に貯留された洗浄水の水圧によって、（図示しない）戻りバネを押し付けながら、ある距離だけ突出される。その後、選択された機能に見合う水圧にて洗浄水を噴き出して、陰部エリアまたは肛門を洗浄し、温風によって乾燥するように作動することによって、陰部／肛門エリアの洗浄作用を行う。
【０００６】
近年には、ビデの元々の機能に多くの付加機能を付与し、ビデの使用が拡大されている。例えば、温水の噴射圧を調節する、マッサージモードを備えたマッサージ機能付ビデや、便器の内側に遠赤外線放射装置を設けた遠赤外線放射機能付ビデや、悪臭の低減または炎症治療のために使用されるノズルチップに挿入されたアロマパックや、化学処理なしに水を殺菌するための電解水生成装置を設けたビデや、用便時間が異常に長くなった場合に警告を鳴らすためのアラームを有したビデがある。
【０００７】
しかしながら、マッサージ機能、遠赤外線放射機能、アロマパック、及びシャワー機能を含むこれらの先行技術は、ビデの核心機能とは直接的に関係のない機能を、通常のビデに単に追加して構成したものに過ぎず、実際には、用便の便宜性またはユーザーの衛生問題を改善しようとするものではなかった。
【０００８】
これらの先行技術のうち、電解水生成装置や用便時間を制御するアラームといったアプローチは、電解水を洗浄水として用い、用便時間を短縮することによって、陰部／肛門エリアの感染を予防するための試みとみなすことができる。しかし、外部に付加する電解水生成装置、タイマー及びアラームが必要なため、システムを複雑にしてしまう。また、これらのアプローチは、便秘のような用便に関する問題の解決に直接的に関係するものではない。
【０００９】
従って、便秘のような、ユーザーの衛生上の問題点を直接的に改善させる、付加装置を必要としない多機能ビデ用の噴射ノズルの構造を提供する必要がある。
【発明の概要】
【００１０】
本発明は、上述の従来の問題を解決するためになされたものであり、その目的は、ビデの核心機能と呼ばれる、用便の便宜性及び衛生問題、従ってユーザーの健康を改善する、他の付加装置を追加しないためにビデ構造を複雑化させたりコストを増大させたりする必要のない多機能ビデ用の噴射ノズルの構造を提供することである。
【００１１】
上記目的を達成するために、本発明の１つの態様によれば、浣腸機能を有するビデ用の噴射ノズルの構造を提供する。本発明の浣腸機能を有するビデ用の噴射ノズルの構造は、前記噴射ノズルの構造は、浣腸機能を行うための浣腸孔を有する噴射キャップ（３５２０）を備え、前記噴射キャップ（３５２０）の浣腸噴出孔（３５２３）の内部に形成された排出孔（３５２４）を通過する洗浄水の乱れを防ぐように、前記浣腸噴出孔（３５２３）の上部から下方に突出してガイド溝（３６１０）が形成され、前記噴射ノズルの構造は、前記ガイド溝（３６１０）の内部に直線状に流体連通するように形成されたガイド孔（３６２０）を有する洗浄水ガイドリブ（３６３０）を備え、前記ガイド孔（３６２０）は、肛門を刺激するような圧力で噴き出された洗浄水をガイドする。
【００１２】
本発明の全ての実施形態によれば、ビデは、便器の上部に置かれると共に水道の蛇口からの濾過された洗浄水を貯留する水槽を有するビデボディ、ユーザーが着座して用便をするための着座部、ユーザーのニーズに基づいてビデ機能を調節するためのコントロール部、及び、貯留された洗浄水を、ユーザーの選択に基づいてユーザーの陰部エリアまたは肛門エリアに噴き出すための噴射ノズル部のような必須の構成要件を備えており、噴射ノズル部は、本発明の具体的な適用対象である。本発明は、２重噴射ノズル部に浣腸機能を実装させることを含む種々の構成により実現することもできる。
【図面の簡単な説明】
【００１３】
【図１】従来のビデの構造を示す斜視図である。
【図２ａ】本発明の浣腸機能を有するビデ用の噴射ノズルの構造が用いられる第１実施形態の分解斜視図である。
【図２ｂ】本発明の浣腸機能を有するビデ用の噴射ノズルの構造が用いられる第１実施形態の分解斜視図である。
【図３】組み立てられたときの本発明の浣腸機能を有するビデ用の噴射ノズルの構造が用いられる第１実施形態の側方断面図である。
【図４】組み立てられたときの本発明の浣腸機能を有するビデ用の噴射ノズルの構造が用いられる第１実施形態の正面断面図である。
【図５】設置されたときの本発明の浣腸機能を有するビデ用の噴射ノズルの構造が用いられる第１実施形態の斜視図である。
【図６ａ】第１実施形態の肛門洗浄モードの作動状態を示し、肛門領域を洗浄するように支持部内でのノズルの動きを示す図である。
【図６ｂ】第１実施形態の肛門洗浄モードの作動状態を示し、水路変換部の断面図である。
【図６ｃ】第１実施形態の肛門洗浄モードの作動状態を示し、水路変換部を通過した洗浄水が噴射キャップにより噴き出される水路変換部の断面図である。
【図７ａ】第１実施形態のビデ洗浄モードの動作を示し、ビデ洗浄を行うための支持部内でのノズルの動きを示す図である。
【図７ｂ】第１実施形態のビデ洗浄モードの動作を示し、水路変換部の断面図である。
【図７ｃ】第１実施形態のビデ洗浄モードの動作を示し、水路変換部を通過した洗浄水が噴射キャップにより噴き出される水路変換部の断面図である。
【図８ａ】第１実施形態の浣腸モードの動作を示し、浣腸機能を行うための支持部内でのノズルの動きを示す図である。
【図８ｂ】第１実施形態の浣腸モードの動作を示し、水路変換部の断面図である。
【図８ｃ】第１実施形態の浣腸モードの動作を示し、水路変換部を通過した洗浄水が噴射キャップにより噴き出される水路変換部の断面図である。
【図９】本発明の浣腸機能を有するビデ用の噴射ノズルの構造が用いられる第２実施形態に係る噴射ノズルの構造の部分拡大図である。
【図１０】本発明の浣腸機能を有するビデ用の噴射ノズルの構造が用いられる第３実施形態に係る、３つのノズルを備える場合の噴射ノズルの構造の部分拡大図である。
【図１１】本発明の浣腸機能を有するビデ用の噴射ノズルの構造が用いられる第３実施形態に係る、２つのノズルを備える場合の噴射ノズルの構造の部分拡大図である。
【図１２】本発明の浣腸機能を有するビデ用の噴射ノズルの構造が用いられる第４実施形態に係る、３つのノズルを備える場合の噴射ノズルの構造の部分拡大図である。
【図１３】本発明の浣腸機能を有するビデ用の噴射ノズルの構造が用いられる第４実施形態に係る、２つのノズルを備える場合の噴射ノズルの構造の部分拡大図である。
【図１４】通常の噴射ノズルの断面図である。
【図１５】本発明の実施形態に係る、浣腸孔用の噴射ノズルの断面図である。
【発明を実施するための形態】
【００１４】
以下、添付図面に基づき、本発明の好ましい形態を詳細に説明する。
【００１５】
図２ａ及び図２ｂは、本発明の浣腸機能を有するビデ用の噴射ノズルの構造が用いられる第１実施形態の分解斜視図であり、図３は、組み立てられたときの本発明の浣腸機能を有するビデ用の噴射ノズルの構造が用いられる第１実施形態の側方断面図である。図４は、組み立てられたときの本発明の浣腸機能を有するビデ用の噴射ノズルの構造が用いられる第１実施形態の正面断面図であり、図５は、設置されたときの本発明の浣腸機能を有するビデ用の噴射ノズルの構造が用いられる第１実施形態の斜視図である。図６は、第１実施形態の肛門洗浄モードの作動状態を示している。すなわち、図６ａは、肛門領域の洗浄が行えるように、支持部内でのノズルの動きを示しており、図６ｂは、水路変換部の断面図であり、図６ｃは、水路変換部を通過した洗浄水が噴射キャップにより噴き出されるところの水路変換部の断面図である。図７は、第１実施形態のビデ洗浄モードの動作を示している。すなわち、図７ａは、ビデ洗浄を行うための支持部内でのノズルの動きを示しており、図７ｂは、水路変換部の断面図であり、図７ｃは、水路変換部を通過した洗浄水が噴射キャップにより噴き出される水路変換部の断面図である。図８は、第１実施形態の浣腸モードの動作を示している。すなわち、図８ａは、浣腸機能を実施するための支持部内でのノズルの動きを示しており、図８ｂは、水路変換部の断面図であり、図８ｃは、水路変換部を通過した洗浄水が噴射キャップにより噴き出される水路変換部の断面図である。図９は、本発明の浣腸機能を有するビデ用の噴射ノズルの構造が用いられる第２実施形態による、噴射ノズルの構造を示す部分拡大図である。図１０は、本発明の浣腸機能を有するビデ用の噴射ノズルの構造が用いられる第３実施形態による、３個のノズルを備える場合の噴射ノズルの構造を示す部分拡大図である。図１１は、本発明の浣腸機能を有するビデ用の噴射ノズルの構造が用いられる第３実施形態による、２個のノズルを備える場合の噴射ノズルの構造を示す部分拡大図である。図１２は、本発明の浣腸機能を有するビデ用の噴射ノズルの構造が用いられる第４実施形態による、３個のノズルを備える場合の噴射ノズルの構造を示す部分拡大図であり、図１３は、本発明の浣腸機能を有するビデ用の噴射ノズルの構造が用いられる第４実施形態による、２個のノズルを備える場合の噴射ノズルの構造を示す部分拡大図である。図１４は、通常の噴射ノズルの断面図であり、図１５は、本発明の実施形態による、浣腸孔用の噴射ノズルの断面図である。
【００１６】
図２Ａから図８Ｃに示されるように、本発明の浣腸機能を有するビデ用の噴射ノズルの構造が用いられる第１実施形態によるビデは、ビデボディ１０７０の底面に取り付けられた支持部１１００と、ビデボディ１０７０の一方の側に設けられた、肛門洗浄、ビデ洗浄及び浣腸機能のうちのいずれかを選択するための選択ボタン１２１０と、選択ボタン１２１０により選択された機能を停止する停止ボタン１２２０を有するコントロール部１２００と、支持部１１００の端部に結合されて、コントロール部１２００によって選択された機能を行うように、選択された機能に対応して三方向ノズル１５００を移動させる作動部１３００と、コントロール部１２２０において選択された機能により洗浄水を供給するように、水路を変換させる水路変換部１４００と、コントロール部１２００において選択された機能を行うように支持部１１００の摺動空間１１１０に移動して、水路変換部１４００を通った洗浄水を外部に噴き出す三方向ノズル１５００とを備えている。以下に、浣腸機能を有する上記ビデの構成を、さらに具体的に説明する。
【００１７】
支持部１１００は、三方向ノズル１５００が摺動する摺動空間１１１０に設けられている。支持部１１００は、ビデボディ１０７０の底面に斜めに取り付けられている。支持部１１００には、摺動空間１１１０において摺動する三方向ノズル１５００の離脱を防ぐガイド空間１１２０が、摺動空間１１１０の他方の側の端部に設けられている。支持部１１００には、摺動空間１１１０の端部と垂直に流体連通するように形成された支持孔１１４０を有する支持板１１３０が、一体的に形成されている。
【００１８】
前記作動部１３００には、支持部１１００の支持孔１１４０に回転軸１３１１が突出するように、支持板１１３０の一方の側に固定された作動モーター１３１０が設けられている。作動モーター１３１０は、コントロール部１２００において選択された機能に対応するように三方向ノズル１５００を位置させるために、時計回りまたは反時計回りに回転する。作動部１３００には、作動モーター１３１０の回転軸１３１１に結合されて作動モーター１３１０と同様に回転する巻取部材１３２０が設けられている。ここで、巻取部材１３２０に巻かれた板バネ１３３０の離脱を防ぐように、支持板１１３０の他方の側に固定された収容部材１３４０は、巻取部材１３２０を収容する。
【００１９】
水路変換部１４００には、水路変換部１４００から突出した回転軸１４１１を有するステッピングモーター１４１０が設けられている。回転軸１４１１は、コントロール部１２００において選択された機能に洗浄水を供給するように、時計回りまたは反時計回りに回転する。水路変換部１４００には、ステッピングモーター１４１０の回転軸１４１１に結合されてステッピングモーター１４１０と同様に回転する連結部材１４２０が設けられている。水路変換部１４００には、ステッピングモーター１４１０の一方の側に取り付けられて、連結部材１４２０の端部が突出するように連結部材１４２０を収容する固定部材１４３０が設けられている。水路変換部１４００には、連結部材１４３０が自由に回転するために、固定部材１４３０から突出した部分に結合されたガイド部材１４４０が設けられている。ガイド部材１４４０は、ガイド部材１４４０の内側で流体連通するように形成された洗浄ガイド孔１４４１、ビデガイド孔１４４２及び浣腸ガイド孔１４４３と、連結部材１４２０の端部に結合されてガイド部材１４４０に密着した変換部材１４５０とが設けられている。水路変換部１４００には、流体連通するように形成された洗浄排水孔１４５１、ビデ排水孔１４５２及び浣腸排水孔１４５３を有する変換部材１４５０が設けられ、洗浄水の方向が、ステッピングモーター１４１０の回転により、ガイド部材１４４０の洗浄ガイド孔１４４１、ビデガイド孔１４４２及び浣腸ガイド孔１４４３のそれぞれと流体連通するようになっている。水路変換部１４００には、連結部材１４２０に取り付けられたガイド部材１４４０を収容する支持部材１４６０が設けられ、ガイド部材１４４０の外周面がボディ１４６１の内周面に密着するようにして、ボディ１４６１の内側に変換部材１４５０が設けられている。ボディ１４６１は、洗浄水が流れ込むように、ボディ１４６１の外周面に突出した流入口１４６２を有している。ここで、移動孔１４６３は、洗浄排水孔１４５１、ビデ排水孔１４５２及び浣腸排水孔１４５３のそれぞれに流体連通するように、ボディ１４６１の一方の側面に形成されている。水路変換部１４００には、支持部材１４６０の移動孔１４６３の外周面に取り付けられたパッキン１４７０が設けられている。
【００２０】
ガイド部材１４４０の上部に流体連通するように形成された洗浄ガイド孔１４４１を中心に直交する個所に、ビデガイド孔１４４２が流体連通するように形成されると共に、洗浄ガイド孔１４４１と対向する個所に、流体連通するように浣腸ガイド孔１４４３が形成されるようにして、ガイド部材１４４０が構成されている。
【００２１】
三方向ノズル１５００には、水路変換部１４００のパッキン１４７０を収容するように、支持部材１４６０の端部に結合された洗浄水移動管１５１０が設けられている。三方向ノズル１５００には、洗浄ガイド孔１４４１、ビデガイド孔１４４２及び浣腸ガイド孔１４４３と同一線上になるように流体連通するように形成された洗浄移動孔１５１１、ビデ移動孔１５１２及び浣腸移動孔１５１３を有する洗浄水移動管１５１０が設けられている。三方向ノズル１５００には、洗浄水移動管１５１０の端部に結合されると共に、洗浄移動孔１５１１、ビデ移動孔１５１２及び浣腸移動孔１５１３が流体連通するように形成された洗浄噴出孔１５２１、ビデ噴出孔１５１２及び浣腸噴出孔１５１３を有する噴射キャップ１５２０が設けられている。
【００２２】
第１実施形態の組み立て工程を、以下に説明する。
【００２３】
先ず、支持部１１００の支持板１１３０の一方の側に作動部１３００の作動モーター１３１０を密着させて、支持板１１３０の支持孔１１４０を貫通するように作動モーター１３１０の回転軸１３１１を支持板１１３０の一方の側面に固定する。その後、突出した作動モーター１３１０の回転軸１３１１に板バネ１３３０を結合し、支持部１１００の摺動空間１１１０に巻取部材１３２０を取り付ける。巻取部材１３２０を収容部材１３４０に収容させて支持板１１３０の他方の側面に固定する。
【００２４】
また、水路変換部１４００のステッピングモーター１４１０の回転軸１４１１に、連結部材１４２０を取り付ける。連結部材１４２０を収容することにより、端部が突出するように固定部材１４３０をステッピングモーター１４１０に密着させる。ガイド部材１４４０と変換部材１４５０とを、固定部材１４３０を介して、突出した連結部材１４２０に取り付ける。
【００２５】
このとき、図４に示されるように、ガイド部材１４４０の洗浄ガイド孔１４４１、ビデガイド孔１４４２及び浣腸ガイド孔１４４３が、変換部材１４５０の洗浄排水孔１４５１、ビデ排水孔１４５２及び浣腸排水孔１４５３に流体連通するように接続されていない状態で、支持部材１４６０のボディ１４６１の内部にガイド部材１４４０の外周面が密着するように、固定部材１４３０は、支持部材１４６０のボディ１４６１に密着されている。支持部材１４６０の内側にパッキン１４７０が取り付けられている。
【００２６】
一方、パッキン１４７０が取り付けられた支持部材１４６０の断面に、洗浄水移動管１５１０を密着させる。その後、洗浄水移動管１５１０、支持部材１４６０及びステッピングモーター１４１０を、スクリューを用いて固定する。
【００２７】
洗浄水移動管１５１０の端部に噴射キャップ１５２０が取り付けられた三方向ノズル１５００を、支持部１１００の摺動空間１１１０を介してガイド空間１１２０に突出させる。この状態で、洗浄水移動管１５１０の下端部に、板バネ１３３０を結合する。
【００２８】
上述したように、三方向ノズル１５００が結合された支持部１１００を、ビデボディ１０７０の内側に取り付ける。ビデボディ１０７０の一方の側に、コントロール部１２００を結合する。信号を伝送するために、作動部１３００と水路変換部１４００とをコントロール部１２００に接続する。この組立体を、図５に示されるビデ本体に取り付ける。
【００２９】
上述したようにして組み立てられた、本発明の浣腸機能を有するビデ用の噴射ノズルの構造が用いられる第１実施形態の使用方法を、以下に説明する。
【００３０】
コントロール部１２００、作動部１３００及び水路変換部１４００からの信号を送信可能にするように、まず、電源をつける。ユーザーの用便後、肛門洗浄の必要がある場合、コントロール部１２００の肛門洗浄ボタン１２１１を押す。押された肛門洗浄ボタン１２１１からの信号は、コントロール部１２００の制御によって作動部１３００に送られる。図６ａに示されるように、作動部１３００の作動モーター１３１０は、時計回りに回転する。作動モーター１３１０の回転軸１３１１に接続された巻取部材１３２０が回転すると同時に、巻取部材１３２０に巻き取られた板バネ１３３０を押して、支持部１１００の摺動空間１１１０に移動させる。
【００３１】
このとき、板バネ１３３０の端部に結合された三方向ノズル１５００は、作動モーター１３１０の、設定された角度だけ回転する。三方向ノズル１５００は、支持部１１００のガイド空間１１２０に突出して、肛門洗浄が行える位置にくる。
【００３２】
このように、三方向ノズル１５００が肛門洗浄を行える位置にくると、コントロール部１２００の制御によって作動モーター１３１０は回転を停止する。図６ｂに示されるように、ステッピングモーター１４１０の回転軸１４１１に接続された連結部材１４２０が回転するようにして、図４の配置に基づき、水路変換部１４００のステッピングモーター１４１０が、設定された角度だけ時計回りに回転する。同時に、変換部材１４５０の洗浄排水孔１４５１、ガイド部材１４４０の洗浄ガイド孔１４４１及び洗浄水移動管１５１０の洗浄移動孔１５１１が流体連通するように、連結部材１４２０に結合された変換部材１４５０が回転する。その後、コントロール部１２００の制御により、ビデボディ１０７０の水槽に貯留された洗浄水を供給する。
【００３３】
上述のようにして供給された洗浄水は、支持部材１４６０の流入口１４６２を介して、ボディ１４６１の内部に流れ込む。その後、連通されたガイド部材１４４０の洗浄ガイド孔１４４１と、連通された変換部材１４５０の洗浄排水孔１４５１とを経由して、図６Ｃに示されるように、洗浄水移動管１５１０の洗浄移動孔１５１１を介して噴射キャップ１５２０の洗浄噴出孔１５２１より洗浄水を噴き出すことにより、肛門領域を洗浄する。
【００３４】
一方、所定時間が経過するか、または肛門洗浄機能が完了したときには、ユーザーは、洗浄水の噴き出しを停止するために、コントロール部１２００の停止ボタン１２２０を押すことができる。
【００３５】
このとき、コントロール部１２００の制御によって正方向に回転したステッピングモーター１４１０は、反対方向に回転する。その後、ガイド部材１４４０の洗浄ガイド孔１４４１、変換部材１４５０の洗浄排水孔１４５１及び洗浄水移動管１５１０の洗浄移動孔１５１１が閉じるように、ステッピングモーター１４１０に接続された変換部材１４５０は、反対方向に回転する。同時に、作動部１３００の作動モーター１３１０が反対方向に回転し、作動部材１３１０の回転軸１３１１に接続された巻取部材１３２０が反対方向に回転して、三方向ノズル１５００が元の状態に戻るために、摺動空間１１１０の内部に移動した板バネ１３３０が巻き取られることによって、次の動作を待つ。
【００３６】
また、ユーザーの用便後、ビデ洗浄が必要な場合、コントロール部１２００のビデ洗浄ボタン１２１２が押される。その後、コントロール部１２００の制御によって、押されたビデ洗浄ボタン１２１２の信号が作動部１３００に送られる。図７ａに示されるように、作動部１３００の作動モーター１３１０が正方向に回転し、回転する作動モーター１３１０の回転軸１３１１に接続された巻取部材１３２０が回転する。同時に、巻取部材１３２０に巻き取られた板バネ１３３０は、支持部１１００の摺動空間１１１０に向かって押される。
【００３７】
このとき、板バネ１３３０の端部に結合された三方向ノズル１５５０は、作動モーター１３１０の、所定角度だけ回転する。その結果、三方向ノズル１５５０は、支持部１１００のガイド空間１１２０に突出して、ビデ洗浄を行う位置にくる。
【００３８】
このように、三方向ノズル１５００がビデ洗浄の位置にくると、コントロール部１２００の制御によって、作動モーター１３１０の回転が停止される。図４の構成において、水路変換部１４００のステッピングモーター１４１０は、設定された角度だけ反対方向に回転する。その後、図７ｂに示されるように、変換部材１４５０のビデ排水孔１４５２、ガイド部材１４４０のビデガイド孔１４４２及び洗浄水移動管１５１０のビデ移動孔１５１２の全てが流体連通するように、連結部材１４２０に結合された変換部材１４５０が回転する。その後、コントロール部１２００の制御により、ビデボディ１０７０の水槽に貯留された洗浄水が供給される。
【００３９】
上述のようにして供給された洗浄水は、支持部材１４６０の流入口１４６２を介して、ボディ１４６１の内部に流れ込む。その後、連通されたガイド部材１４４０のビデガイド孔１４４２と、変換部材１４５０のビデ排水孔１４５２とを経由して、図７ｃに示されるように、洗浄水移動管１５１０のビデ移動孔１５１２を介して噴射キャップ１５２０のビデ噴出孔１５２１より洗浄水をスムーズに噴き出すことにより、肛門領域を洗浄する。
【００４０】
一方、所定時間が経過するか、またはビデ洗浄機能が完了したときには、ユーザーは、洗浄水の噴き出しを停止するために、コントロール部１２００の停止ボタン１２２０を押すことができる。
【００４１】
このとき、コントロール部１２００の制御によって正方向に回転したステッピングモーター１４１０は、反対方向に回転する。その後、上述のようにして供給された洗浄水は、支持部材１４６０の流入口１４６２を介して、ボディ１４６１の内部に流れ込む。その後、連通されたガイド部材１４４０のビデガイド孔１４４２と、連通された変換部材１４５０のビデ排水孔１４５２とを経由して、図７ｃに示されるように、洗浄水移動管１５１０のビデ移動孔１５１２を介して噴射キャップ１５２０のビデ噴出孔１５２１より洗浄水をスムーズに噴き出すことにより、肛門領域を洗浄する。ガイド部材１４４０のビデガイド孔１４４２、変換部材１４５０のビデ排水孔１４５２及び洗浄水移動管１５１０のビデ移動孔１５１２が閉じて洗浄水の供給を遮断するように、ステッピングモーター１４１０に接続された変換部材１４５０は、反対方向に回転する。同時に、作動部１３００の作動モーター１３１０が反対方向に回転し、作動部材１３１０の回転軸１３１１に接続された巻取部材１３２０が反対方向に回転して、三方向ノズル１５００が元の状態に戻るために、摺動空間１１１０の内部に移動した板バネ１３３０が巻き取られることによって、次の動作を待つ。
【００４２】
また、便秘のユーザーが用便をするためにコントロール部１２００の浣腸ボタン１２１３を押すと、浣腸ボタン１２１３の信号がコントロール部１２００の制御によって作動部１３００に送られる。図８ａに示されるように、作動部１３００の作動モーター１３１０が正方向に回転し、回転する作動モーター１３１０の回転軸１３１１に接続された巻取部材１３２０が回転する。同時に、巻取部材１３２０に巻き取られた板バネ１３３０は、支持部１１００の摺動空間１１１０に向かって押される。
【００４３】
このとき、板バネ１３３０の端部に結合された三方向ノズル１５５０は、作動モーター１３１０の、予め設定された角度だけ回転する。その結果、三方向ノズル１５５０は、支持部１１００のガイド空間１１２０に突出して、ビデ洗浄を行う位置にくる。
【００４４】
このように、三方向ノズル１５００がビデ洗浄の位置にくると、コントロール部１２００の制御によって、作動モーター１３１０の回転が停止される。図４の構成において、水路変換部１４００のステッピングモーター１４１０は、設定された角度だけ反対方向に回転する。その後、図８ｂに示されるように、変換部材１４５０の浣腸排水孔１４５３、ガイド部材１４４０の浣腸ガイド孔１４４３及び洗浄水移動管１５１０の浣腸移動孔１５１３の全てが流体連通するように、連結部材１４２０に結合された変換部材１４５０が回転する。その後、コントロール部１２００の制御により、ビデボディ１０７０の水槽に貯留された洗浄水が供給される。
【００４５】
上述のようにして供給された洗浄水は、支持部材１４６０の流入口１４６２を介して、ボディ１４６１の内部に流れ込む。その後、連通されたガイド部材１４４０の浣腸ガイド孔１４４３と、変換部材１４５０の浣腸排水孔１４５３とを経由して、図８ｃに示されるように、洗浄水移動管１５１０の浣腸移動孔１５１２を介して噴射キャップ１５２０の浣腸噴出孔１５２１より洗浄水を高圧で吐出する。その結果、高圧の洗浄水は、ユーザーの肛門を刺激すると共に直腸の内部に導入されることによって、浣腸機能を行う。
【００４６】
一方、浣腸機能を停止させるために、ユーザーがコントロール部１２００の停止ボタン１２２０を押すと、コントロール部１２００の制御によって反対方向に回転したステッピングモーター１４１０が正方向に回転する。その後、ガイド部材１４４０の浣腸ガイド孔１４４３、変換部材１４５０の浣腸排水孔１４５３及び洗浄水移動管１５１０の浣腸移動孔１５１３が閉じて洗浄水の供給を遮断するように、ステッピングモーター１４１０に接続された変換部材１４５０は、反対方向に回転する。同時に、作動部１３００の作動モーター１３１０が反対方向に回転し、作動部材１３１０の回転軸１３１１に接続された巻取部材１３２０が反対方向に回転して、三方向ノズル１５００を元の状態に戻すために摺動空間１１１０の内部に移動した板バネ１３３０が巻き取られることによって、次の動作を待つ。
【００４７】
次に、本発明の浣腸機能を有するビデ用の噴射ノズルの構造が用いられる第２実施形態によれば、洗浄、ビデ及び浣腸の３つの機能を有するノズルチップは、残りの機能のみを有する噴射ノズル本体の内部に収納されて別々に突出するように構成されている。
【００４８】
具体的に、本発明の浣腸機能を有するビデ用の噴射ノズルの構造が用いられる第２実施形態において、洗浄水を噴き出す洗浄孔、ビデ洗浄用の洗浄水を噴き出すビデ孔、及び浣腸液（水）を噴き出す浣腸孔のうち、２つの選択された噴出孔が、噴射ノズル本体の上方端面に流体連通するように形成されている。噴射ノズル本体の前縁の一方の側には、洗浄孔、ビデ孔及び浣腸孔のうち未選択の１つの噴出孔が、上方端面に流体連通するように形成されて、噴射チップが突出するように挿入されている。
【００４９】
本発明の浣腸機能を有するビデ用の噴射ノズルの構造が用いられる第２実施形態によれば、浣腸機能が別々に突出するように構成される場合、図９に示されるように、洗浄孔２４１１及びビデ孔２４１２が、噴射ノズル本体２４１０内に流体連通するように形成されている。噴射ノズル本体２４１０の先端の一方の側には、噴射チップ２４２０が突出するように挿入されて収容されるように、噴射ノズル本体２４１０の上方端面に浣腸孔２４２１が流体連通するように形成されている。
【００５０】
また、ビデ洗浄機能が別々に突出するように構成される場合、洗浄孔及び浣腸孔が、噴射ノズル本体内に流体連通するように形成されている。噴射ノズル本体の先端の一方の側には、噴射チップが突出するように挿入されて収容されるように、噴射ノズル本体の上方端面にビデ孔が流体連通するように形成されている。本発明の浣腸機能を有するビデ用の噴射ノズルの構造が用いられる第２実施形態によれば、肛門洗浄機能が別々に突出するように構成される場合、噴射ノズル本体内にビデ孔及び浣腸孔が流体連通するように形成されている。噴射ノズル本体の先端の一方の側には、噴射チップが突出するように挿入されて収容されるように、噴射ノズル本体の上方端面に洗浄孔２４２１が流体連通するように形成されている。
【００５１】
第２実施形態の上述した構成から理解されるように、洗浄孔及びビデ孔、またはビデ孔及び浣腸孔を、噴射ノズル本体２４１０の上面に、流体連通するように構成することができる。従って、噴射チップ２４２０は、内部で流体連通するように形成された浣腸孔、ビデ孔及び洗浄孔をそれぞれ有することができる。
【００５２】
ここで、噴射ノズル本体２４２０に設けられた洗浄孔／ビデ孔、洗浄孔／浣腸孔、またはビデ孔／浣腸孔はそれぞれ２つの噴出孔で形成されてもよく、異なる水圧で、及び異なる方向に洗浄水を噴き出すことによって２つの異なる機能を行えるように１つの噴出孔で構成されてもよい。
【００５３】
上述した構成を有する第２実施形態のビデに関して、噴射ノズル本体に設けられた噴出孔の１つにより行うことのできる機能をユーザーが必要とする場合、水槽に貯留された水の圧力と、選択された機能に相当する噴出孔から噴射される適切な圧力の洗浄水の圧力とによって、噴射ノズル本体がある距離で突出するように、ユーザーは、コントロール部２３００上の所定のボタンを押して、洗浄機能を行う。噴射チップに設けられた噴出孔によって行うことのできる機能を動作するために、ユーザーがコントロール部２３００のあるボタンを押すと、水槽に貯溜された洗浄水の圧力によって、噴射ノズル本体がある距離で突出し、さらに、噴射チップが噴射ノズル本体の前縁から突出する。その後、ある適切な圧力の洗浄水が噴射チップの噴出孔から噴射されることにより、相当する洗浄作業が行われる。
【００５４】
次に、本発明の浣腸機能を有するビデ用の噴射ノズルの構造が用いられる第３実施形態によれば、洗浄、ビデ及び浣腸機能のうち選択された１つまたは２つの機能が、２つまたは３つの噴射ノズルで体現される。２つまたは３つの噴射ノズルは、互いに隣接するように水平に配置されるようにして、ビデ本体の中央下部に突出するように挿入されている。
【００５５】
具体的に、本発明の浣腸機能を有するビデ用の噴射ノズルの構造が用いられる第３実施形態によれば、２つまたは３つの噴射ノズルは、ビデ本体の中央の下部に突出するように挿入され、互いに隣接するように水平に配置されている。それぞれの噴射ノズルは、噴射ノズルに流体連通した１つまたは２つの噴出孔を有している。噴出孔は、肛門洗浄のための洗浄水を噴射する洗浄孔と、陰部エリアを洗浄するための洗浄水を噴射するビデ孔と、浣腸水を噴射する浣腸孔とから選択される。
【００５６】
本発明の浣腸機能を有するビデ用の噴射ノズルの構造が用いられる第３実施形態の上述した構成と図１０とから理解されるように、洗浄孔２４３１、ビデ孔２４３２、浣腸孔２４３３のそれぞれを、３つの噴射ノズル２４３０のそれぞれに別々に構成してもよい。図１１に示されるように、洗浄孔、ビデ孔及び浣腸孔から選択された２つの噴出孔が１つの噴射ノズルに形成されると共に残りの１つの噴出孔が他の噴射ノズルに形成されるようにして、２つの噴射ノズル２４４０を設けてもよい。
【００５７】
図１１に示されるように、洗浄孔、ビデ孔及び浣腸孔から選択された２つの噴出孔が１つの噴射ノズル２４４０に流体連通するように形成されると共に残りの１つの噴出孔が一方の噴射ノズル２４４０に流体連通するように形成されるようにして２つの噴射ノズル２４４０が設けられている場合、２つの噴出孔、すなわち、洗浄孔／ビデ孔、洗浄孔／浣腸孔、またはビデ孔／浣腸孔を有する噴射ノズルは、流体連通するように形成された２つの噴出孔を有していてもよい。代替的には、異なる水圧で、及び異なる方向に洗浄水を噴き出すことによって２つの異なる機能を行えるように１つの噴出孔が流体連通するように形成される。
【００５８】
次に、本発明の浣腸機能を有するビデ用の噴射ノズルの構造が用いられる第４実施形態によれば、洗浄、ビデ及び浣腸機能のうち選択された１つまたは２つの機能が、２つまたは３つの噴射ノズルで体現される。２つまたは３つの噴射ノズルは、互いに隣接するように垂直に配置されるようにして、ビデ本体の中央下部に突出するように挿入されている。
【００５９】
具体的に、本発明の浣腸機能を有するビデ用の噴射ノズルの構造が用いられる第３実施形態によれば、２つまたは３つの噴射ノズルは、ビデ本体の中央の下部に突出するように挿入され、互いに隣接するように垂直に配置されている。それぞれの噴射ノズルは、噴射ノズルに流体連通した１つまたは２つの噴出孔を有している。噴出孔は、肛門洗浄のための洗浄水を噴射する洗浄孔と、陰部エリアを洗浄するための洗浄水を噴射するビデ孔と、浣腸水を噴射する浣腸孔とから選択される。
【００６０】
本発明の浣腸機能を有するビデ用の噴射ノズルの構造が用いられる第４実施形態の上述した構成と図１２とから理解されるように、洗浄孔２４５１、ビデ孔２４５２、浣腸孔２４５３のそれぞれを、３つの噴射ノズル２４５０のそれぞれに別々に構成してもよい。図１３に示されるように、洗浄孔、ビデ孔及び浣腸孔から選択された２つの噴出孔が１つの噴射ノズルに形成されると共に残りの１つの噴出孔が他の噴射ノズルに形成されるようにして、２つの噴射ノズル２４６０を設けてもよい。
【００６１】
図１３に示されるように、洗浄孔、ビデ孔及び浣腸孔から選択された２つの噴出孔が１つの噴射ノズル２４６０に流体連通するように形成されると共に残りの１つの噴出孔が一方の噴射ノズル２４６０に流体連通するように形成されるようにして２つの噴射ノズル２４６０が設けられている場合、２つの噴出孔、すなわち、洗浄孔／ビデ孔、洗浄孔／浣腸孔、またはビデ孔／浣腸孔を有する噴射ノズルは、流体連通するように形成された２つの噴出孔を有していてもよい。代替的には、異なる水圧で、及び異なる方向に洗浄水を噴き出すことによって２つの異なる機能を行えるように１つの噴出孔が流体連通するように形成される。
【００６２】
本発明の浣腸機能を有するビデ用の噴射ノズルの構造が用いられる第３実施形態及び第４実施形態による上述した構成を有するビデに関して、所望の機能に相当するコントロール部２３００のボタンが押されると、本体内部の水槽に貯留された洗浄水の圧力によって、所望の機能の噴射ノズルがある距離で突出して、洗浄機能を行うために、適切な圧力の洗浄水が噴射される。
【００６３】
一方、従来の通常のビデに使われてきた噴射ノズルの構造は、図１４に示されるように、噴射の直前に流れの乱れが生じる。従って、上述した構成を有する本発明の実施形態のようには、従来のビデは容易に浣腸機能を行うことができない。
【００６４】
従って、噴出孔の内部の渦流を防いでさらに高い水圧を確保するために、特別に設計された噴射ノズルの構造が必要であり、これらの目的に合う噴射の飛散の回避を以下に説明する。
【００６５】
図１５に示されるように、浣腸機能を有するビデ用の本発明の噴射ノズルの構造は、浣腸機能を行うための浣腸孔を有する噴射キャッ３５２０を備えている。噴射キャッ３５２０の浣腸噴出孔３５２３の内部に形成された排出孔３５２４を通過する洗浄水の乱れを防ぐように、浣腸噴出孔３５２３の上部から下方に突出してガイド溝３６１０が形成されている。さらに、本発明の噴射ノズルの構造は、ガイド溝３６１０の内部で直線状に流体連通するように形成されたガイド孔３６２０を有する洗浄水ガイドリブ３６３０を備えている。ガイド孔３６２０は、肛門を刺激するような圧力で吐出された洗浄水を誘導する。
【００６６】
この構造の噴射ノズルの使用方法を以下に説明する。
【００６７】
先ず、便秘のユーザーがビデに座って、用便をするためにコントロール部の浣腸ボタンを押すと、浣腸機能を行える位置に三方向ノズル３５００がくるように、コントロール部の制御によって作動部が回転する。この状態で、上述した実施形態の結合のように、浣腸排水孔を洗浄水移動管３５１０の浣腸移動孔３５１３に流体連通させるために、水路変換部が回転する。その後、コントロール部の制御によって、ビデ本体の水槽に貯溜された洗浄水が供給される。
【００６８】
さらに、洗浄水が洗浄水移動管３５１０の浣腸移動孔３５１３を介して噴射キャップ３５２０の浣腸噴出孔３５２３に導入されると、排出孔３５２４を通過する洗浄水の一部が洗浄水ガイドリブ３６００のガイド溝３６１０の内部に導入されることによって、洗浄水の乱れを防ぐ。浣腸噴出孔３５２３よりも小さい直径を有するように、排出孔３５２４が流体連通するように内部に形成されている。
【００６９】
一方、排出孔３５２４を通過した洗浄水の一部は、洗浄水の圧力によって、高圧で真っ直ぐ噴射されて洗浄水ガイドリブ３６００のガイド孔３６２０を通過する。洗浄水ガイドリブ３６００のガイド孔３６２０は、排出孔３５２４と同じ面積を有するように流体連通している。
【００７０】
このとき、洗浄水は乱れを生じず、従って気泡が生じないので、肛門を優しく刺激することができると共に、直腸の内部に導入されて用便するための浣腸機能を行うことができる。
【産業上の利用可能性】
【００７１】
上述したように、本発明による浣腸機能を有するビデは、肛門洗浄機能、ビデ洗浄機能及び浣腸機能を１つのノズルで体現するように、または、別々の噴射ノズル本体から突出した噴射チップ上にいずれか１つの機能が構成されるように、または、肛門洗浄機能、ビデ洗浄機能及び浣腸機能のうちの１つまたは２つの機能が２つまたは３つの噴射ノズルで体現されて、２つまたは３つの噴射ノズルが互いに隣接するように水平に配置されるようにして、ビデ本体の中央下部に突出するように挿入されるように、または、肛門洗浄機能、ビデ洗浄機能及び浣腸機能のうちの１つまたは２つの機能が２つまたは３つの噴射ノズルで体現されて、２つまたは３つの噴射ノズルが互いに隣接するように垂直に配置されるように構成されている。
【００７２】
従って、本発明によれば、新規な多機能ビデが提供され、ビデの核心機能と呼ばれる用便の便宜性及び衛生問題を改善することができ、従って、ビデの構造を複雑にしたり、他の別の装置を付加することによってコストを増加したりする必要なしに、ユーザーの健康を改善することができる。
【図１】
2010216239.tif 000003
【図２ａ】
2010216239.tif 000004
【図２ｂ】
2010216239.tif 000005
【図３】
2010216239.tif 000006
【図４】
2010216239.tif 000007
【図５】
2010216239.tif 000008
【図６ａ】
2010216239.tif 000009
【図６ｂ】
2010216239.tif 000010
【図６ｃ】
2010216239.tif 000011
【図７ａ】
2010216239.tif 000012
【図７ｂ】
2010216239.tif 000013
【図７ｃ】
2010216239.tif 000014
【図８ａ】
2010216239.tif 000015
【図８ｂ】
2010216239.tif 000016
【図８ｃ】
2010216239.tif 000017
【図９】
2010216239.tif 000018
【図１０】
2010216239.tif 000019
【図１１】
2010216239.tif 000020
【図１２】
2010216239.tif 000021
【図１３】
2010216239.tif 000022
【図１４】
2010216239.tif 000023
【図１５】
2010216239.tif 000024